(57)【要約】【課題】  刷ジョブ名称などからユーザの印刷情報が漏洩する可能性を低くする。【解決手段】  ジョブ名称を含むジョブ情報５２２の特定フィールドを符号(暗号)化５３０するモードをプリンタドライバ５２３(あるいはローカルスプーラ５２５)に用意する。通常５１０と符号(暗号)化５２０の切り替えが可能な構成をとる（５００）。印刷経路上のスプーラ５２５にジョブ名称がそのまま表示されなくなる（５２６）。またローカルスプーラ５２５に復号化し表示する機能を持たせる。これらの構成と機能によりユーザは簡単な設定で保秘性を得ることができる。【選択図】  図５
2006189927.tif 000002
【特許請求の範囲】
【請求項１】
ジョブ情報の特定情報の符号化の指示を受け付け可能な指示受付手段と、
前記指示受付手段によって前記符号化の指示を受け付けた場合、前記特定情報に符号化した内容を設定する設定手段と、
前記ジョブ情報を発行する発行手段と
を備えたことを特徴とする印刷制御装置。
【請求項２】
ジョブ情報の特定情報の符号化の指示を受け付け可能な指示受付手段と、
前記指示受付手段によって前記符号化の指示を受け付けた場合、前記特定情報に符号化の指示情報を設定する設定手段と、
前記ジョブ情報を発行する発行手段と、
前記発行手段によって発行された前記ジョブ情報に前記設定手段による設定がされていた場合、前記特定情報を符号化した内容で表示する表示手段と
を備えたことを特徴とする印刷制御装置。
【請求項３】
ジョブ情報の特定情報の暗号化の指示を受け付け可能な指示受付手段と、
前記指示受付手段によって前記暗号化の指示を受け付けた場合、前記特定情報に暗号化した内容と暗号化の属性とを設定する設定手段と、
前記ジョブ情報を発行する発行手段と、
前記発行手段によって発行された前記ジョブ情報に前記設定手段による設定がされていた場合、前記特定情報を復号化した内容で表示する表示手段と
を備えたことを特徴とする印刷制御装置。
【請求項４】
前記特定情報の情報量は可変である
ことを特徴とする請求項１乃至３のいずれかに記載の印刷制御装置。
【請求項５】
前記指示受付手段は、前記特定情報の符号化及び暗号化をしない指示、前記特定情報の符号化の指示、前記特定情報の暗号化の指示のいずれかの指示を受け付け可能である
ことを特徴とする請求項１乃至４のいずれかに記載の印刷制御装置。
【請求項６】
ジョブ情報の特定情報の符号化の指示を、指示受付手段によって受け付け可能な指示受付ステップと、
前記指示受け付けステップにおいて前記符号化の指示を受け付けた場合、設定手段によって記特定情報に符号化した内容を設定する設定ステップと、
発行手段によって前記ジョブ情報を発行する発行ステップと
を備えることを特徴とする印刷制御装置の制御方法。
【請求項７】
ジョブ情報の特定情報の符号化の指示を、指示受付手段によって受け付け可能な指示受付ステップと、
前記指示受け付けステップにおいて前記符号化の指示を受け付けた場合、設定手段によって前記特定情報に符号化の指示情報を設定する設定ステップと、
発行手段によって前記ジョブ情報を発行する発行ステップと、
前記発行ステップにおいて発行された前記ジョブ情報に前記設定ステップにおける設定がされていた場合、表示手段によって前記特定情報を符号化した内容で表示する表示ステップと
を備えることを特徴とする印刷制御装置の制御方法。
【請求項８】
ジョブ情報の特定情報の暗号化の指示を、指示受付手段によって受け付け可能な指示受付ステップと、
前記指示受付ステップにおいて前記暗号化の指示を受け付けた場合、設定手段によって前記特定情報に暗号化した内容と暗号化の属性とを設定する設定ステップと、
発行手段によって前記ジョブ情報を発行する発行ステップと、
前記発行ステップにおいて発行された前記ジョブ情報に前記設定ステップにおける設定がされていた場合、表示手段によって前記特定情報を復号化した内容で表示する表示ステップと
を備えることを特徴とする印刷制御装置の制御方法。
【請求項９】
前記特定情報の情報量は可変である
ことを特徴とする請求項６乃至８のいずれかに記載の印刷制御装置の制御方法。
【請求項１０】
前記指示受付手段は、前記特定情報の符号化及び暗号化をしない指示、前記特定情報の符号化の指示、前記特定情報の暗号化の指示のいずれかの指示を受け付け可能である
ことを特徴とする請求項６乃至９のいずれかに記載の印刷制御装置の制御方法。
【請求項１１】
請求項６乃至１０のいずれかに記載の印刷制御装置の制御方法の各ステップをコンピュータに実行させることを特徴とするプログラム。
【発明の詳細な説明】
【技術分野】
【０００１】
本発明は、印刷制御装置及びその制御方法並びにプログラムに関する。より詳細には、本発明は、コンピュータ、プリンタなどから構成される印刷制御装置及び印刷制御装置の制御方法並びにプログラムに関する。
【背景技術】
【０００２】
従来、印刷制御装置としてのコンピュータ、及びプリンタなどから構成される印刷制御システムにおいて、アプリケーションなどが設定したジョブ名称はそのままスプーラに渡されている。そして、印刷経路上にジョブ名称等はそのまま流通する。例えば、サーバやプリンタのスプーラに"xxxx年xx月給与一覧シート"、"勤務査定文書"などのジョブ名称が表示、記録される。このような印刷制御システムに関連した技術内容を開示した文献がある（特許文献１、２参照）。
【０００３】
一般的に印刷を行うユーザは、他人に前述のようなジョブ名称を見られたくない。このようなジョブ名称の公開は、オーナと社員の距離が近い小規模オフィスでは特に問題となり、オーナはジョブ名称の公開の回避のために自分専用の小型プリンタを用意(あるいはファイル自体の名称を変更する)などして、対処している。
【０００４】
【特許文献１】特開２００２−３７３０６７号公報
【特許文献２】特開２００１−０７５７６８号公報
【発明の開示】
【発明が解決しようとする課題】
【０００５】
しかしながら、上述のような印刷制御システムにおいては、印刷ジョブ名称などからユーザの印刷情報が漏洩する可能性があるという解決すべき課題が従来技術にはあった。
【０００６】
本発明は、このような課題に鑑みてなされたもので、その目的とするところは、ユーザの印刷情報が漏洩する可能性を低減した印刷制御装置及びその制御方法並びにプログラムを提供することにある。
【課題を解決するための手段】
【０００７】
このような目的を達成するために、本発明の印刷制御装置（３００）は、ジョブ情報の特定情報の符号化の指示を受け付け可能な指示受付手段（１、５００）と、前記指示受付手段によって前記符号化の指示を受け付けた場合、前記特定情報に符号化した内容を設定する設定手段（１、Ｓ６２２、Ｓ７２２、Ｓ７８２）と、前記ジョブ情報を発行する発行手段（１、Ｓ６２６、Ｓ７４３、Ｓ７８３）とを備えたことを特徴とする。
【０００８】
また上記目的を達成するために、本発明の印刷制御装置は、ジョブ情報の特定情報の符号化の指示を受け付け可能な指示受付手段と、前記指示受付手段によって前記符号化の指示を受け付けた場合、前記特定情報に符号化の指示情報を設定する設定手段（１、Ｓ８２２）と、前記ジョブ情報を発行する発行手段（１、Ｓ８２３）と、前記発行手段によって発行された前記ジョブ情報に前記設定手段による設定がされていた場合、前記特定情報を符号化した内容で表示する表示手段（１、Ｓ８４２）とを備えたことを特徴とする。
【０００９】
また上記目的を達成するために、本発明の印刷制御装置は、ジョブ情報の特定情報の暗号化の指示を受け付け可能な指示受付手段と、前記指示受付手段によって前記暗号化の指示を受け付けた場合、前記特定情報に暗号化した内容と暗号化の属性とを設定する設定手段（１、Ｓ９２２）と、前記ジョブ情報を発行する発行手段（１、Ｓ９２６）と、前記発行手段によって発行された前記ジョブ情報に前記設定手段による設定がされていた場合、前記特定情報を復号化した内容で表示する表示手段（１、Ｓ９４３）とを備えたことを特徴とする。
【００１０】
また上記目的を達成するために、本発明の印刷制御装置の制御方法は、ジョブ情報の特定情報の符号化の指示を、指示受付手段によって受け付け可能な指示受付ステップ（Ｓ６１０、Ｓ６２０、Ｓ７１０、Ｓ７２０、Ｓ７７０、Ｓ７８０）と、前記指示受け付けステップにおいて前記符号化の指示を受け付けた場合、設定手段によって記特定情報に符号化した内容を設定する設定ステップと、発行手段によって前記ジョブ情報を発行する発行ステップとを備えることを特徴とする。
【００１１】
また上記目的を達成するために、本発明の印刷制御装置の制御方法は、ジョブ情報の特定情報の符号化の指示を、指示受付手段によって受け付け可能な指示受付ステップ（Ｓ８１０、Ｓ８２０）と、前記指示受け付けステップにおいて前記符号化の指示を受け付けた場合、設定手段によって前記特定情報に符号化の指示情報を設定する設定ステップと、発行手段によって前記ジョブ情報を発行する発行ステップと、前記発行ステップにおいて発行された前記ジョブ情報に前記設定ステップにおける設定がされていた場合、表示手段によって前記特定情報を符号化した内容で表示する表示ステップとを備えることを特徴とする。
【００１２】
また上記目的を達成するために、本発明の印刷制御装置の制御方法は、ジョブ情報の特定情報の暗号化の指示を、指示受付手段によって受け付け可能な指示受付ステップ（Ｓ９１０、Ｓ９２０）と、前記指示受付ステップにおいて前記暗号化の指示を受け付けた場合、設定手段によって前記特定情報に暗号化した内容と暗号化の属性とを設定する設定ステップと、発行手段によって前記ジョブ情報を発行する発行ステップと、前記発行ステップにおいて発行された前記ジョブ情報に前記設定ステップにおける設定がされていた場合、表示手段によって前記特定情報を復号化した内容で表示する表示ステップとを備えることを特徴とする。
【００１３】
尚、特許請求の範囲の構成要素と対応する実施形態中の図中符号等を（）で示した。ただし、特許請求の範囲に記載した構成要素は上記（）部の実施形態の構成要素に限定されるものではない。
【００１４】
以上の構成により、例えばジョブ名称を含むジョブ情報（印刷情報）の特定フィールドを符号(暗号)化するモードをプリンタドライバ(あるいはローカルスプーラ)に用意する。さらに通常と符号(暗号)化の切り替えが可能な構成をとる。これにより、印刷経路上のスプーラにジョブ名称がそのまま表示されなくなる。またローカルスプーラに復号化し表示する機能を持たせる。これらの構成と作用により、ユーザは簡単な設定で保秘性が得られ、印刷ジョブ名称などからの情報漏洩を低減する。
【発明の効果】
【００１５】
以上説明したように本発明によれば、ユーザの印刷情報が漏洩する可能性を低減する効果を奏する。
【発明を実施するための最良の形態】
【００１６】
以下、図面を参照して本発明を適用できる実施形態を詳細に説明する。尚、本明細書で参照される各図面において同様の機能を有する箇所には同一の符号を付している。
【００１７】
（装置構成）
図１は、本発明を適用できる実施形態の印刷制御システムの構成を示すブロック図である。このシステムは、ホストコンピュータ３００とプリンタ１５０とを含む。ホストコンピュータ３００は、ＣＰＵ（central processing unit）１を備えている。ＣＰＵ１は、ＲＯＭ（read-only memory）３のプログラム用ＲＯＭあるいは外部メモリ１１に記憶された文書処理プログラム等に基づいて、図形や、イメージ、文字、表等が混在した文書処理（表計算等を含む）を実行し、システムバス４に接続される各デバイスを総括的に制御する。
【００１８】
また、このＲＯＭ３のプログラム用ＲＯＭあるいは外部メモリ１１には、ＣＰＵ１の制御プログラムであるオペレーティングシステムプログラム（以下ＯＳ）等が記憶され、ＲＯＭ３のフォント用ＲＯＭあるいは外部メモリ１１には、上記文書処理の際に使用するフォントデータ等が記憶され、ＲＯＭ３のデータ用ＲＯＭあるいは外部メモリ１１には、上記文書処理等を行う際に使用する各種データが記憶されている。
【００１９】
図中符号２はＲＡＭ（random access memory）で、ＣＰＵ１の主メモリやワークエリア等として機能する。５はキーボードコントローラ（ＫＢＣ）で、キーボード９や不図示のポインティングデバイスからのキー入力を制御する。６はＣＲＴコントローラ（ＣＲＴＣ）で、ＣＲＴディスプレイ（ＣＲＴ；cathode ray tube）１０の表示を制御する。７はディスクコントローラ（ＤＫＣ）で、ブートプログラム、各種のアプリケーション、フォントデータ、ユーザファイル、編集ファイル、及びプリンタ制御コマンド生成プログラム（以下、プリンタドライバと記す）等を記憶する外部メモリ１１とのアクセスを制御する。外部メモリ１１は、ハードディスク（ＨＤ）やフロッピー（登録商標）ディスク（ＦＤ）等で構成される。
【００２０】
８はプリンタコントローラ（ＰＲＴＣ）で、所定の双方向性インタフェース２１を介してプリンタ１５０に接続され、プリンタ１５０との通信制御処理を実行する。尚、ＣＰＵ１は、例えばＲＡＭ２上に設定された表示情報のアウトラインフォントへの展開（ラスタライズ）処理を実行し、ＣＲＴ１０上でのＷＹＳＩＷＹＧ（What You See Is What You Get）を可能としている。また、ＣＰＵ１は、ＣＲＴ１０上に表示されるマウスカーソル等で指示されたコマンドに基づいて、登録された種々のウィンドウを開き、種々のデータ処理を実行する。これによって、ユーザは、印刷を実行する際、印刷の設定に関するウィンドウを開き、プリンタ１５０の設定や、印刷モードの選択を含むプリンタドライバに対する印刷処理方法の設定を行うことができる。
【００２１】
一方、プリンタ１５０は、プリンタＣＰＵ１２を備えている。プリンタＣＰＵ１２は、ＲＯＭ１３のプログラム用ＲＯＭに記憶された制御プログラム等あるいは外部メモリ１４に記憶された制御プログラム等に基づいて、システムバス１５に接続される印刷部（プリンタエンジン）１７に出力情報としての画像信号を出力する。また、このＲＯＭ１３のプログラムＲＯＭには、ＣＰＵ１２の制御プログラム等が記憶されている。ＲＯＭ１３のフォント用ＲＯＭには、上記出力情報を生成する際に使用するフォントデータ等が記憶され、ＲＯＭ１３のデータ用ＲＯＭには、ハードディスク等の外部メモリ１４を用いないプリンタ１５０の場合に、ホストコンピュータ３００上で利用される情報等が記憶されている。
【００２２】
ＣＰＵ１２は、入力部１８を介してホストコンピュータ３００との通信処理が可能となっており、プリンタ１５０内の情報等をホストコンピュータ３００に通知可能に構成されている。１９はＣＰＵ１２の主メモリやワークエリア等として機能するＲＡＭで、図示しない増設ポートに接続されるオプションＲＡＭによりメモリ容量を拡張することができるように構成されている。
【００２３】
尚、ＲＡＭ１９は、出力情報展開領域や、環境データ格納領域、ＮＶＲＡＭ（nonvolatile random access memory）等に用いられる。前述したハードディスク（ＨＤ）や、ＩＣカード等の外部メモリ１４は、メモリコントローラ（ＭＣ）２０によりアクセスを制御される。外部メモリ１４は、オプションとして接続され、フォントデータや、エミュレーションプログラム、フォームデータ等を記憶する。さらに、前述した入力部１８は操作パネル等で、操作のためのスイッチ及びＬＥＤ（light-emitting diode）表示器等が配されている。
【００２４】
また、前述した外部メモリ１４は、少なくとも１個以上備えられ、内蔵フォントに加えてオプションフォントカード、言語系の異なるプリンタ制御言語を解釈するプログラムを格納した外部メモリを複数接続できるように構成されていても良い。さらに、図示しない不揮発性であるＮＶＲＡＭを有し、操作パネル等の操作部１５１からのプリンタモード設定情報を記憶するようにしても良い。
【００２５】
図２は、ホストコンピュータ３００における典型的な印刷処理の構成図である。このホストコンピュータ３００には、プリンタ１５０等の印刷装置が、直接あるいはネットワーク経由で接続されている。
【００２６】
アプリケーション２０１、グラフィックエンジン２０２、プリンタドライバ２０３、及びシステムスプーラ２０４は、外部メモリ１１に保存されるファイルとして存在し、オペレーティングシステム(ＯＳ)やその他のモジュールによってＲＡＭ２にロードされ実行されるプログラムモジュールである。また、アプリケーション２０１及びプリンタドライバ２０３は、ＦＤ、ＣＤ（compact disc）−ＲＯＭあるいは不図示のネットワークを経由して外部メモリ１１(ＨＤ)に追加することが可能である。
【００２７】
外部メモリ１１に保存されているアプリケーション２０１は、ＲＡＭ２にロードされて実行されるが、このアプリケーション２０１からプリンタ１５０で印刷を行う際には、同様にＲＡＭ２にロードされることで実行可能となっているグラフィックエンジン２０２を利用して出力（描画）を行う。グラフィックエンジン２０２は、プリンタごとに用意されたプリンタドライバ２０３を同様に外部メモリ１１からＲＡＭ２にロードし、アプリケーション２０１の出力を、プリンタドライバ２０３を用いてプリンタ１５０の制御コマンドに変換する。変換されたプリンタ制御コマンドは、ＯＳによってＲＡＭ２にロードされたシステムスプーラ２０４を経てインタフェース２１経由でプリンタ１５０へ出力される。
【００２８】
図３は、本実施形態における印刷プログラムを含む印刷関連モジュールがホストコンピュータ３００上のＲＡＭ２にロードされ実行可能となった状態のメモリマップを示している。図３において、図中符号３０１は印刷用のアプリケーション、３０２は空きメモリ、３０３は印刷関連データ、３０４は印刷関連プログラム、３０５はＯＳ、３０６はＢＩＯＳ（Basic Input/Output System）であり、本実施形態における印刷制御プログラムは、印刷関連プログラム３０４の一部として存在する。
【００２９】
以上のような構成を有する印刷制御システムにおける印刷制御装置であるホストコンピュータ３００の動作について、以下説明する。尚以降、ジョブ情報のうち"ジョブ名称"を１例として説明する。
【００３０】
（動作説明）
本実施形態の印刷制御装置であるホストコンピュータ３００の動作の説明に先立って、従来の印刷制御装置の動作の概要について図４を用いて説明する。
【００３１】
図４は、ユーザがアプリケーション４１１で給与計算を行っている場合の、従来の印刷制御装置の動作を示す。ユーザがアプリケーション４１１に印刷実行を指示する。アプリケーション４１１は印刷を開始するにあたりスプーラ４１５に渡すジョブ情報４１２を作成する。このジョブ情報４１２にはジョブ名称が含まれており、この例においてアプリケーション４１１はユーザが選択している"給与.シート"をジョブ名称として設定している。このジョブ情報４１２はプリンタドライバ４１３に渡される。プリンタドライバ４１３はジョブ情報４１２を一部参照し、そのままジョブ情報４１４としてスプーラ４１５に渡す。スプーラ４１５はジョブ情報４１４に記載された内容を自身のＵＩ（user interface）４１６に表示する。この場合スプーラＵＩ４１６には印刷ジョブ名称として"給与.シート"が表示される。
【００３２】
本実施形態の印刷制御装置であるホストコンピュータ３００の動作の概要を、図５を用いて説明する。
【００３３】
図５において、プリンタドライバはジョブ情報のプライバシレベルの変更が可能なＵＩ５００をユーザに提供する。ユーザがＵＩ５００においてスライダを操作し図中符号５１０に示すようにジョブ情報のプライバシレベル[低]を選択した場合、プリンタドライバは図４を参照し上述した従来と同様の動作をする（詳細は、図６〜９を参照し後述）。
【００３４】
ユーザはアプリケーション５１１で給与計算を行っている。ユーザがアプリケーション５１１に印刷実行を指示する。アプリケーション５１１は印刷を開始するにあたりスプーラ５１５に渡すジョブ情報５１２を作成する。このジョブ情報５１２にはジョブ名称が含まれており、この例においてアプリケーション５１１はユーザが選択している"給与.シート"を名称として設定している。このジョブ情報５１２はプリンタドライバ５１３に渡される。プリンタドライバ５１３はジョブ情報５１２を一部参照し、そのままジョブ情報５１４としてスプーラ５１５に渡す。スプーラ５１５はジョブ情報５１４に記載された内容を自身のＵＩ５１６に表示する。この場合スプーラＵＩ５１６には印刷ジョブ名称として"給与.シート"が表示される。
【００３５】
ユーザがスライダを操作しＵＩ５００において、図中符号５２０に示すようにジョブ情報のプライバシレベル[中]又は[高]を選択した場合、ジョブ情報の符号化／暗号化を行う処理が有効になる。より詳しくは、ユーザが図中符号５２０に示す[中]を選択した場合、ジョブ情報の符号化を行う処理が有効になる（詳細は、図６〜８を参照し後述）。ユーザが図中符号５２０に示す[高]を選択した場合、ジョブ情報の暗号化を行う処理が有効になる（詳細は、図９を参照し後述）。
【００３６】
ユーザはアプリケーション５２１で給与計算を行っている。ユーザがアプリケーション５２１に印刷実行を指示する。アプリケーション５２１は印刷を開始するにあたりスプーラ５２５に渡すジョブ情報５２２を作成する。このジョブ情報５２２にはジョブ名称が含まれており、この例においてアプリケーション５２１はユーザが選択している"給与.シート"を名称として設定している。このジョブ情報５２２はプリンタドライバ５２３に渡される。プリンタドライバ５２３はジョブ情報５２２を一部参照、特定フィールド（ジョブ名称"給与.シート"）を符号(暗号)化し（図中符号５３０）、ジョブ情報５２４としてスプーラ５２５に渡す。スプーラ５２５はジョブ情報５２４に記載された内容を自身のＵＩ５２６に表示する。この場合スプーラＵＩ５２６は"給与.シート"を符号(暗号)化５３０したジョブ名称"0BA5538F"を表示する。
【００３７】
尚、プリンタドライバ５２３にスプーラ５２５が付属する場合、ジョブ情報５２４に符号化表示属性を付加することでスプーラＵＩ５２６の表示を符号表示に変更すれば同様の効果をもつ。この方法は図８、９等を参照し後述する。
【００３８】
図６〜９は、本実施形態の印刷制御処理を示すフローチャートである。以下、本実施形態の処理を図６〜９を用いて説明する。図６〜９の処理手順は、ＣＰＵ１が、ＲＡＭ２にロードされたプリンタドライバ２０３又はシステムスプーラ２０４を読み出して実行することにより行われる。
【００３９】
図６は、ドライバが自己スプーラを持たない場合の符号化処理のフローチャートである。ステップＳ６００〜Ｓ６１０でプリンタドライバに印刷情報（ジョブ情報）が渡される。プリンタドライバは、図５における図中符号５１０、５２０のいずれの選択処理が選択されたか判定し、符号化送信が設定されているか確認する（Ｓ６２０）。符号化送信が設定されていない場合、プリンタドライバは処理をステップＳ６２６へ進める（図５における図中符号５１０の選択処理）。符号化送信が設定されている場合（Ｓ６２２）印刷情報の特定フィールド（ジョブ名称"給与.シート"）を符号化する。
【００４０】
尚、本実施形態の処理で扱う印刷情報の特定フィールドは、ジョブ名称に限られず、種々の範囲を有する各種情報を適用可能である。即ち処理すべき特定フィールドの情報量は可変である。
【００４１】
ステップＳ６２２における処理の詳細がステップＳ６２３からＳ６２５の処理である。ドライバは、特定フィールドが文字列フィールドの場合、文字列をＣＲＣ３２でバイナリ形式に符号化する（Ｓ６２３）。もとが文字列フィールドなので変換後の内容も文字列化する必要があるため、ＣＲＣ３２で生成された３２bitバイナリを文字列化（Ｓ６２４）する。その文字列化された内容をもとのフィールドにステップＳ６２５で設定する。ステップＳ６２６でドライバはジョブ情報をスプーラに渡す。ステップＳ６５０以降、スプーラＵＩにおいて特定フィールドは符号化された内容が表示される。
【００４２】
図７は、ドライバが自己スプーラを持つ場合の符号化処理のフローチャートである。図７においては、ドライバか自己スプーラのどちらかでフィールドの符号化が行われ、それぞれのフローチャートを２例あげ説明する。
【００４３】
図７の左側のフローチャートは、ドライバで符号化を行う場合である。ステップＳ７１０でプリンタドライバに印刷情報が渡される。プリンタドライバは、図５における図中符号５１０、５２０のいずれの選択処理が選択されたか判定し、符号化送信設定がされているか確認する（Ｓ７２０）。符号化送信が設定されていない場合、プリンタドライバは処理をステップＳ７２３へ進める（図５における図中符号５１０の選択処理）。符号化送信設定がされている場合（Ｓ７２２）印刷情報の特定フィールド（ジョブ名称"給与.シート"）を符号化する。ステップＳ７２２における処理の詳細は上述のステップＳ６２３からＳ６２５の処理と同様である。ステップＳ７２３でドライバはジョブ情報を自己スプーラに渡す。ステップＳ７３０で自己スプーラは印刷情報を渡される。しかし自己スプーラは特に符号化関連の処理を行わないので、ステップＳ７４３で印刷情報をそのままスプーラに渡す。ステップＳ７５０以降、スプーラＵＩにおいて特定フィールドは符号化された内容で表示される。
【００４４】
図７の右側のフローチャートは、自己スプーラ側で符号化をする場合である。ステップＳ７６０でプリンタドライバに印刷情報が渡される。プリンタドライバは、ステップＳ７６３で印刷情報と符号化送信設定をあわせて自己スプーラに渡す。ステップＳ７７０で自己スプーラは印刷情報等を渡される。自己スプーラは、図５における図中符号５１０、５２０のいずれの選択処理が選択されたか判定し、符号化送信設定がされているか確認する（Ｓ７８０）。符号化送信が設定されていない場合、プリンタドライバは処理をステップＳ７８３へ進める（図５における図中符号５１０の選択処理）。符号化送信設定がされている場合（Ｓ７８２）印刷情報の特定フィールドを符号化する。ステップＳ７８２における処理の詳細は上述のステップＳ６２３からＳ６２５の処理と同様である。ステップＳ７８３で自己スプーラは印刷情報をスプーラに渡す。ステップＳ７９０以降、スプーラＵＩにおいて特定フィールドは符号化された内容で表示される。
【００４５】
図８は、ドライバに表示制御可能なスプーラを用意した場合のフローチャートである。ステップＳ８１０でプリンタドライバに印刷情報が渡される。プリンタドライバは、図５における図中符号５１０、５２０のいずれの選択処理が選択されたか判定し、符号化送信設定がされているか確認する（Ｓ８２０）。符号化送信が設定されていない場合、プリンタドライバは処理をステップＳ８２３へ進める（図５における図中符号５１０の選択処理）。符号化送信定がされている場合はステップＳ８２２で印刷情報の特定フィールド（ジョブ名称"給与.シート"）に符号化送信設定を付加する。ステップＳ８２３でプリンタドライバは印刷情報をスプーラに渡す。ステップＳ８３０でスプーラは印刷情報を渡される。スプーラは印刷情報の特定フィールドに符号化送信設定が付加されているか確認し（Ｓ８４０）、符号化送信設定が付加されている場合、特定フィールドを符号化された内容でスプーラＵＩに表示する。（Ｓ８４２）。スプーラは符号化送信設定が付加されていない場合（Ｓ８４１）、通常表示を行う。ステップＳ８４３でスプーラは印刷情報をプリンタに送信する。この後の処理は従来と同様である（Ｓ８５０。）
図９は、ドライバで暗号化処理を行い、その暗号の復号化と復号結果の表示制御可能なスプーラを用意した場合のフローチャートである。この例では復号結果の表示条件はユーザ権限にしている。ジョブとホストとハードウエアの所有権限がマッチしている範囲においてのみ復号されたジョブ情報が表示される。
【００４６】
ステップＳ９１０でプリンタドライバに印刷情報が渡される。プリンタドライバは、図５における図中符号５１０、５２０のいずれの選択処理が選択されたか判定し、暗号化送信設定がされているか確認する（Ｓ９２０）。暗号化送信が設定されていない場合、プリンタドライバは処理をステップＳ９２６へ進める（図５における図中符号５１０の選択処理）。暗号化送信設定がされている場合はステップＳ９２２で印刷情報の特定フィールド（ジョブ名称"給与.シート"）の暗号化と暗号化属性を付加する。ステップＳ９２２における処理の詳細がステップＳ９２３からＳ９２５の処理である。ドライバは、ステップＳ９２３で特定フィールドについて、その内容を周知のＲＣ５、ＤＥＳ、ＡＥＳ、ＲＳＡ等の方式で暗号化し、その暗号化した内容を設定する。ドライバは、ステップＳ９２４で特定フィールドに暗号化送信属性を付加し、ステップＳ９２５で必要であればユーザ権限に関する情報を入手し、ジョブ情報に付加しておく。ステップＳ９２６でプリンタドライバは印刷情報をスプーラに渡す。ステップＳ９３０でスプーラは印刷情報を渡される。
【００４７】
スプーラは印刷情報に暗号化送信属性が付加されているか確認し（Ｓ９４０）、さらにスプーラの動作している環境の所有権限を確認する（Ｓ９４１）。ステップＳ９４０、Ｓ９４１が双方とも“はい”である、つまりスプーラ動作環境の所有権限とジョブのユーザ権限がマッチしている場合は、ステップＳ９４３で暗号化送信属性が付加されているフィールドを復号化しスプーラＵＩに表示する。ステップＳ９４３における処理の詳細がステップＳ９４４、Ｓ９４５である。スプーラは、ステップＳ９４４で復号化を行い、ステップＳ９４５で復号化された内容を表示する。ステップＳ９４０、Ｓ９４１のどちらかが“いいえ”である場合はステップＳ９４２において通常表示を行う（特に、Ｓ９４１が“いいえ”である場合は、暗号化送信属性が付加されているフィールドを暗号化のままスプーラＵＩに表示する）。ステップＳ９４６でスプーラは印刷情報をプリンタに送信する。この後の処理は従来と同様である（Ｓ８５０。）
【００４８】
［他の実施形態］
以上述べた実施形態の他に次の形態を実施できる。  
（１）上述した図６〜９の各処理においては、ホストコンピュータ３００上で動作する印刷プログラムを記録する媒体を外部メモリとしているが、外部メモリとしては、ＦＤ、ＨＤドライブ、ＣＤ−ＲＯＭやＩＣ（integrated circuits）メモリカード等であっても良い。さらに、印刷プログラム単独、もしくはＯＳやその他のホストコンピュータ３００上で動作するプログラムと共にＲＯＭ３に記録しておき、これらをメモリマップの一部と成すように構成し、直接ＣＰＵ１で実行することも可能である。
（２）プリンタ１５０上で動作するとしている印刷プログラムについてもホストコンピュータ３００上で動作する印刷プログラムと同様である。さらに、プリンタ１５０上で動作する印刷プログラム自身をホストコンピュータ３００上で動作させ、ホストコンピュータ３００から印刷イメージを図１に示す印刷部Ｉ／Ｆ１６経由で印刷部１７に送り、印刷制御システムを構築することも可能である。
【００４９】
（実施形態の効果）
以上説明したように本実施形態によれば、第１の態様として、印刷制御装置（３００）は、ジョブ情報の特定情報の符号化の指示を受け付け可能な指示受付手段（１、５００）と、前記指示受付手段によって前記符号化の指示を受け付けた場合、前記特定情報に符号化した内容を設定する設定手段（１、Ｓ６２２、Ｓ７２２、Ｓ７８２）と、前記ジョブ情報を発行する発行手段（１、Ｓ６２６、Ｓ７４３、Ｓ７８３）とを備えたことを特徴とする。
【００５０】
これにより、ジョブ名称を含むジョブ情報（印刷情報）の特定フィールドを符号化するモードをプリンタドライバに用意する。さらに通常と符号化の切り替えが可能な構成をとる。このため、印刷経路上のスプーラにジョブ名称がそのまま表示されなくなる。この構成と作用により、ユーザは簡単な設定で保秘性が得られ、印刷ジョブ名称などからの情報漏洩を低減する。
【００５１】
また、第２の態様として、印刷制御装置は、ジョブ情報の特定情報の符号化の指示を受け付け可能な指示受付手段と、前記指示受付手段によって前記符号化の指示を受け付けた場合、前記特定情報に符号化の指示情報を設定する設定手段（１、Ｓ８２２）と、前記ジョブ情報を発行する発行手段（１、Ｓ８２３）と、前記発行手段によって発行された前記ジョブ情報に前記設定手段による設定がされていた場合、前記特定情報を符号化した内容で表示する表示手段（１、Ｓ８４２）とを備えたことを特徴とする。
【００５２】
これにより、ジョブ名称を含むジョブ情報（印刷情報）の特定フィールドを符号化するモードをローカルスプーラに用意する。さらに通常と符号化の切り替えが可能な構成をとる。このため、印刷経路上のスプーラにジョブ名称がそのまま表示されなくなる。この構成と作用により、ユーザは簡単な設定で保秘性が得られ、印刷ジョブ名称などからの情報漏洩を低減する。
【００５３】
また、第３の態様として、印刷制御装置は、ジョブ情報の特定情報の暗号化の指示を受け付け可能な指示受付手段と、前記指示受付手段によって前記暗号化の指示を受け付けた場合、前記特定情報に暗号化した内容と暗号化の属性とを設定する設定手段（１、Ｓ９２２）と、前記ジョブ情報を発行する発行手段（１、Ｓ９２６）と、前記発行手段によって発行された前記ジョブ情報に前記設定手段による設定がされていた場合、前記特定情報を復号化した内容で表示する表示手段（１、Ｓ９４３）とを備えたことを特徴とする。
【００５４】
これにより、ジョブ名称を含むジョブ情報（印刷情報）の特定フィールドを暗号化するモードをプリンタドライバに用意する。さらに通常と暗号化の切り替えが可能な構成をとる。このため、印刷経路上のスプーラにジョブ名称がそのまま表示されなくなる。またローカルスプーラに復号化し表示する機能を持たせる。この構成と作用により、ユーザは簡単な設定で保秘性が得られ、印刷ジョブ名称などからの情報漏洩を低減する。
【００５５】
ここで、第４の態様として、第１乃至３のいずれかに記載の態様において、前記特定情報の情報量は可変であることを特徴とすることができる。
【００５６】
これにより、本実施形態の処理で扱う印刷情報の特定フィールドは、ジョブ名称に限られず、種々の範囲を有する各種情報を適用可能である。
【００５７】
さらに、第５の態様として、第１乃至４のいずれかに記載の態様において、前記指示受付手段は、前記特定情報の符号化及び暗号化をしない指示、前記特定情報の符号化の指示、前記特定情報の暗号化の指示のいずれかの指示を受け付け可能であることを特徴とすることができる。
【００５８】
これにより、通常と符号(暗号)化の切り替えが可能となる。
【００５９】
また、第６の態様として、印刷制御装置の制御方法は、ョブ情報の特定情報の符号化の指示を、指示受付手段によって受け付け可能な指示受付ステップ（Ｓ６１０、Ｓ６２０、Ｓ７１０、Ｓ７２０、Ｓ７７０、Ｓ７８０）と、前記指示受け付けステップにおいて前記符号化の指示を受け付けた場合、設定手段によって記特定情報に符号化した内容を設定する設定ステップと、発行手段によって前記ジョブ情報を発行する発行ステップとを備えることを特徴とする。
【００６０】
また、第７の態様として、印刷制御装置の制御方法は、ジョブ情報の特定情報の符号化の指示を、指示受付手段によって受け付け可能な指示受付ステップ（Ｓ８１０、Ｓ８２０）と、前記指示受け付けステップにおいて前記符号化の指示を受け付けた場合、設定手段によって前記特定情報に符号化の指示情報を設定する設定ステップと、発行手段によって前記ジョブ情報を発行する発行ステップと、前記発行ステップにおいて発行された前記ジョブ情報に前記設定ステップにおける設定がされていた場合、表示手段によって前記特定情報を符号化した内容で表示する表示ステップとを備えることを特徴とする。
【００６１】
また、第８の態様として、印刷制御装置の制御方法は、ジョブ情報の特定情報の暗号化の指示を、指示受付手段によって受け付け可能な指示受付ステップ（Ｓ９１０、Ｓ９２０）と、前記指示受付ステップにおいて前記暗号化の指示を受け付けた場合、設定手段によって前記特定情報に暗号化した内容と暗号化の属性とを設定する設定ステップと、発行手段によって前記ジョブ情報を発行する発行ステップと、前記発行ステップにおいて発行された前記ジョブ情報に前記設定ステップにおける設定がされていた場合、表示手段によって前記特定情報を復号化した内容で表示する表示ステップとを備えることを特徴とする。
【００６２】
ここで、第９の態様として、第６乃至８のいずれかに記載の態様において、前記特定情報の情報量は可変であることを特徴とすることができる。
【００６３】
さらに、第１０の態様として、第６乃至９のいずれかに記載の態様において、前記指示受付手段は、前記特定情報の符号化及び暗号化をしない指示、前記特定情報の符号化の指示、前記特定情報の暗号化の指示のいずれかの指示を受け付け可能であることを特徴とすることができる。
【００６４】
また、第１１の態様として、プログラムは、第６乃至１０の態様のいずれかに記載の印刷制御装置の制御方法の各ステップをコンピュータに実行させることを特徴とする。
【００６５】
以上のように、本実施形態によれば、印刷ジョブ名称、ドキュメント名等が印刷経路上のスプーラにそのまま表示、記録されないため保秘性が向上する。さらに、本実施形態によれば、経路上に出る印刷ジョブ情報を少なくできる、ユーザは必要時にＵＩの設定で処理を切り替えることができる、仕様が複雑でなくユーザは理解しやすい等の効果を奏する。
【図面の簡単な説明】
【００６６】
【図１】本発明を適用できる実施形態の印刷制御システムの構成を示すブロック図である。
【図２】本発明を適用できる実施形態のホストコンピュータにおける典型的な印刷処理の構成図である。
【図３】本発明を適用できる実施形態のメモリマップを示す図である。
【図４】従来の印刷制御装置の動作を示す概要図である。
【図５】本発明を適用できる実施形態の印刷制御装置であるホストコンピュータの動作の概要図である。
【図６】本発明を適用できる実施形態の印刷制御処理を示すフローチャートである。
【図７】本発明を適用できる実施形態の印刷制御処理を示すフローチャートである。
【図８】本発明を適用できる実施形態の印刷制御処理を示すフローチャートである。
【図９】本発明を適用できる実施形態の印刷制御処理を示すフローチャートである。
【符号の説明】
【００６７】
５００  ＵＩ
５１０、５２０  ジョブ情報のプライバシレベル
５１１、５２１  アプリケーション
５１２、５２２  ジョブ情報
５１３、５２３  プリンタドライバ
５１４、５２４  ジョブ情報
５１５、５２５  スプーラ
５１６、５２６  スプーラＵＩ
５３０  符号(暗号)化
【図１】
2006189927.tif 000003
【図２】
2006189927.tif 000004
【図３】
2006189927.tif 000005
【図４】
2006189927.tif 000006
【図５】
2006189927.tif 000007
【図６】
2006189927.tif 000008
【図７】
2006189927.tif 000009
【図８】
2006189927.tif 000010
【図９】
2006189927.tif 000011